(57)【要約】【課題】光源からの光に対する反射効率を向上させる安価な反射鏡および発光装置を提供する。【解決手段】反射鏡本体４０Ａの表裏面に、反射面４２，導光面４３を形成する。一方、反射鏡本体４０Ａの頂部４１Ａの表面は、アルミニウムを蒸着しない透過領域とする。反射鏡本体４０Ａの裏部には、頂部４１Ａに対応する部位に、入射光ＬＡの入射方向とは異なる方向に入射光ＬＡを反射させる反射部４１Ｂを形成する。そして、上記通過領域，反射部４１Ｂを設けたので、反射鏡４０におけるキセノン管３０が陰となる陰部分（頂部４１Ａ）に照射される照射光を無駄にすることがなくなり、上記照射光を有効利用し得ると共に、反射効率も向上する。また、従来のような光ファイバーを使用することなく、上記陰部分に照射される照射光を照明方向へ導光し得るので、反射鏡４０を安価に製造できる。【選択図】　図５
2004125864.tif 000002
【特許請求の範囲】
【請求項１】
光源による照明方向の反対側に対応する部位に前記光源からの光が通過される通過領域、および前記光源からの光を前記照明方向側へ反射させる反射面を有する第１の面部と、
前記通過領域に対応する部位に、前記通過領域を通過した入射光の入射方向とは異なる方向に前記入射光を反射させる反射部を有する第２の面部と、
を備える反射鏡。
【請求項２】
前記第２の面部に前記入射光を前記反射面の端部へ導光させる導光面をさらに設け、
前記反射部によって反射された前記入射光を、前記導光面と前記反射面との組合わせによって前記反射面の端部から前記照明方向へ向けて出射させる請求項１に記載の反射鏡。
【請求項３】
請求項１または請求項２に記載の反射鏡と、
光源と、
前記光源を発光させる発光手段と、
を備える発光装置。
【発明の詳細な説明】
【０００１】
【発明の属する技術分野】
本発明は、光源からの光を照明方向側へ反射させるための反射鏡および発光装置に関するものである。
【０００２】
【従来の技術】
スチルカメラなどには、一般的に、撮影に必要な明るさを得るためのストロボ点灯装置を備えている。このストロボ点灯装置の中には、通常の撮影モードおよび近距離撮影モードに切換可能となっているものがある（例えば、特許文献１参照）。上記特許文献１はストロボ発光部を上記各モードに連動して回転させ、そして近距離撮影モードではストロボ発光部からの光が複数本の光ファイバーを介して分散されると共にその発光方向も変えていた。
【０００３】
一方、従来の反射傘（「反射鏡」と同義）の中には、棒状の光源，たとえば円柱状の蛍光燈の発光を照明方向側へ反射させるものがある。このような反射傘は、一般的に、蛍光燈を近接させている。図６に示すように、反射傘９０はその断面形状が弧状となっており、そして反射傘９０の頂部９１に対向する部位に円柱状の蛍光燈９２が近接した状態で位置決めされている。
【０００４】
【特許文献１】
特開２０００−１４７６１２公報
【０００５】
【発明が解決しようとする課題】
ところで、図６に示す反射傘９０では、その頂部９１付近が蛍光燈９２の陰部分（蛍光燈９２による照明方向の反対側に対応する部分）となり、この陰部分（頂部９１）に照射される照射光（図６の矢印参照）が蛍光燈９２を越えて照明方向側にまで反射しないか，または上記陰部分の反射光が効率的に照明方向へ導光されないという問題点があった。即ち、図６に示す反射傘９０では、陰部分に照射される光が無駄になっていた。
【０００６】
一方、上記特許文献１に係る発明において、ストロボ発光部の発光方向を変え分散させるためには、複数本の光ファイバーを必要としている。即ち、上記特許文献１では、高価な光ファイバーを使用するため、発光装置が高価になるという問題が生じる。また、ストロボ発光装置などでは、反射鏡の周辺部（端部）による反射光が光源の中心部における照射光および反射光よりも、暗くなる（ぼやける）という問題があった。
【０００７】
本発明の目的は、上記事実を考慮して、光源からの光に対する反射効率を向上させる安価な反射鏡および発光装置を提供することにある。
【０００８】
【課題を解決するための手段】
請求項１記載の反射鏡では、光源による照明方向の反対側に対応する部位に前記光源からの光が通過される通過領域、および前記光源からの光を前記照明方向側へ反射させる反射面を有する第１の面部と、前記通過領域に対応する部位に、前記通過領域を通過した入射光の入射方向とは異なる方向に前記入射光を反射させる反射部を有する第２の面部と、を備えることを特徴とする。
【０００９】
光源からの照射光は、照明方向側へ向かって直接に照射されると共に、反射面に照射された光は反射光として照明方向側へ反射される。また、通過領域を通過した入射光は、第２の面部の反射部により、入射方向とは異なる方向に反射する。例えば、反射部で反射された反射光は、再び通過領域を通過し、光源を飛越えて照明方向側に出射する。
【００１０】
請求項１記載の反射鏡においては、光源による照明方向の反対側に対応する部位いわゆる反射鏡における光源が陰となる陰部分に照射される照射光であっても、通過領域を通過した入射光が第２の面部の反射部によって入射方向とは異なる方向に反射するので、例えば反射部で反射された反射光を光源によって遮光されることなく照明方向側に出射させることができる。
【００１１】
請求項１記載に係る発明によれば、通過領域および反射部を設けたので、上記陰部分に照射される照射光を無駄にすることがなくなり、上記照射光を有効利用し得ると共に、反射効率も向上する。また、請求項１記載に係る発明によれば、従来のような光ファイバーを使用することなく、上記陰部分に照射される照射光を照明方向へ導光し得るので、反射鏡を安価に製造できる。
【００１２】
請求項２記載に係る発明では、前記第２の面部に前記入射光を前記反射面の端部へ導光させる導光面をさらに設け、前記反射部によって反射された前記入射光を、前記導光面と前記反射面との組合わせによって前記反射面の端部から前記照明方向へ向けて出射させることを特徴とする。
【００１３】
通過領域を通過した入射光は反射部によって入射方向とは異なる方向に反射すると共に、反射部によって反射された反射光は導光面と反射面との組合わせによって反射面の端部から照明方向へ向けて出射する。即ち、請求項２記載に係る発明によれば、反射部によって反射された反射光が反射面の端部（周辺部）から照明方向へ向けて出射されるので、反射鏡の周辺部における反射光の光量が補われ、従来よりも反射鏡の周辺部が明るくなる。
【００１４】
請求項３記載の発光装置では、請求項１または請求項２に記載の反射鏡と、光源と、前記光源を発光させる発光手段と、を備えることを特徴とする。光源は発光手段によって発光し、そして請求項１記載の反射鏡によって上記陰部分に照射される照射光が照明方向へ導光され、そのため上記陰部分に照射される照射光が無駄にならない。
【００１５】
【発明の実施の形態】
（第１実施形態）
以下、図１乃至図３に基づいて、本発明の第１実施形態に係る反射鏡およびその反射鏡を備える発光装置の構成について説明する。なお、図１は本実施形態の発光装置としてのストロボ点灯装置を備えるスチルカメラの正面図、図２は図１に示すストロボ点灯装置の要部を示す斜視図、図３は図２の３−３線端面図である。
【００１６】
図１に示すように、スチルカメラ１０は、被写体像を結像させるためのレンズ１２、撮影する被写体の構図を決めるために用いられる光学ファインダ１４、撮影を実行する際にユーザによって押圧されるシャッタスイッチ１６、露光に際して適正な露光光量が得られない低照度の場合に発光されるストロボ点灯装置１８などを備える。
【００１７】
ストロボ点灯装置１８の窓部１９内には、図２に示すように、反射鏡２０と、光源である円柱状のキセノン管３０とが配置されている。なお、キセノン管３０には図示しない駆動回路（電源である電池などをも含む）が接続されており、この駆動回路の駆動信号がキセノン管３０に供給されることによってキセノン管３０が発光する。シャッタスイッチ１６（図１参照）および上記駆動回路は、請求項３に係る発光手段の一部を構成するものである。
【００１８】
反射鏡２０は透明なガラスで形成された第１反射板２２および第２反射板２６を備えており、第１反射板２２および第２反射板２６の断面形状は略弧状に湾曲している（図３参照）。即ち、本実施形態は、第１反射板２２および第２反射板２６の２つの部材を組合わせることにより、反射鏡２０を形成するものである。なお、透明とは、光を透過（通過）できるような半透明，有色透明などを含む概念である。
【００１９】
図３に示すように、第１反射板２２は第２反射板２６よりも曲率半径が小さくなっていると共に、第１反射板２２は第２反射板２６の前面に所定の距離をもって配置されている。そして、キセノン管３０は、第１反射板２２の頂部２２Ａに近接した状態で対向している。
【００２０】
なお、図２に示すように、第２反射板２６にはアルミニウムを蒸着させた銀白色の側壁２９が一対形成されており、かつ第２反射板２６は両側壁２９に取付けられている。また、キセノン管３０は両側壁２９に位置決めされており、かつキセノン管３０の両端に設けられている接続部は図示しない駆動回路に接続されている。
【００２１】
図３に示すように、第１反射板２２の表面（本発明に係る「第１の面部」に対応する面）には、そのキセノン管３０の陰部分（キセノン管３０による照明方向の反対側に対応する部分）となる頂部２２Ａ以外の部位に、キセノン管３０からの照射光を照明方向側へ反射させる反射面２３が設けられている。即ち、反射面２３は、頂部２２Ａを中心に、対称となるように形成されている。
【００２２】
反射面２３は、透明なガラスである第１反射板２２の表面に、アルミニウムを蒸着させることによって形成される。即ち、反射面２３の表面は銀白色となっており、そのためキセノン管３０からの照射光は反射面２３を介して反射する。また、第１反射板２２の裏面にも、反射面２３に対応するよう頂部２２Ａ以外の部位に、アルミニウムを蒸着させた銀白色の導光面２４が設けられている。
【００２３】
そして、第１反射板２２の頂部２２Ａの表裏面は、反射面２３および導光面２４がそれぞれ形成されていない透明なガラス面となっている。即ち、第１反射板２２の頂部２２Ａは、キセノン管３０からの照射光が透過（通過）される透過（通過）領域となっている。
【００２４】
第２反射板２６には、透過領域すなわち第１反射板２２の頂部２２Ａに対応する部位に、透過領域を透過した入射光ＬＡの入射方向とは異なる方向に入射光ＬＡを反射させる反射部２７が形成されている。反射部２７は、頂部２２Ａ側（照明方向側）に向かって突出する略Ｖ字状の突起形状となっている。
【００２５】
また、第２反射板２６の表面（本発明に係る「第２の面部」に対応する面）には、その全面にアルミニウムを蒸着させた銀白色の導光面２８が設けられている。そのため、入射光ＬＡは、反射部２７により、入射光ＬＡの入射方向とは異なる方向に反射される。
【００２６】
さらに、反射部２７で反射された反射光は、図３の１点鎖線に示すように、導光面２４および２８により、第１反射板２２および第２反射板２６の端部間で形成された隙間ＳＫから照明方向へ向けて出射する。即ち、第２反射板２６の導光面２８および第１反射板２２の導光面２４は、入射光ＬＡを反射鏡２０の隙間ＳＫへ導光させるものである。
【００２７】
なお、本実施形態では、第１反射板２２の裏面に導光面２４を設けた例であるが、導光面２４を設けることなく、第２反射板２６の導光面２８からの反射光を第１反射板２２の反射面２３によって反射させても良い。また、本実施形態では、第１反射板２２および第２反射板２６を銀白色のアルミニウム板で成形すると共に、通過領域を開口として形成するようにしても良い。
【００２８】
引続き、本実施形態に係るストロボ点灯装置１８および反射鏡２０の作用について説明する。露光に際して適正な露光光量が得られない低照度において、図１に示すシャッタスイッチ１６が操作されると、図示しない駆動回路の駆動信号に基づいて図２に示すキセノン管３０が発光する。
【００２９】
キセノン管３０からの照射光は照明方向側へ向かって直接に照射され、また第１反射板２２の反射面２３に照射された照射光は反射光として照明方向側へ反射される。透過領域である頂部２２Ａを透過した入射光ＬＡは、第２反射鏡２８の反射部２７により、入射方向とは異なる方向に反射する。例えば、反射部２７で反射された反射光は、再び頂部２２Ａを透過し、キセノン管３０を飛越えて照明方向側に出射する。
【００３０】
本実施形態においては、第１反射板２２におけるキセノン管３０が陰となる陰部分すなわち頂部２２Ａに照射される照射光であっても、頂部２２Ａを透過した入射光ＬＡが第２反射鏡２８の反射部２７によって入射方向とは異なる方向に反射するので、例えば反射部２７で反射された反射光をキセノン管３０によって遮光されることなく照明方向側に出射させることができる。
【００３１】
即ち、本実施形態によれば、透過領域（光を透過し得る透明な頂部２２Ａ）および反射部２７を設けたので、上記陰部分に照射される照射光を無駄にすることがなくなり、上記照射光を有効利用し得ると共に、反射効率も向上する。また、本実施形態によれば、従来のような光ファイバーを使用することなく、陰部分となる頂部２２Ａに照射される照射光を照明方向へ導光し得るので、反射鏡２０を安価に製造できる。
【００３２】
さらに、本実施形態によれば、透過領域である頂部２２Ａを透過した入射光ＬＡは反射部２７によって入射方向とは異なる方向に反射すると共に、入射光ＬＡは導光面２４および２８の組合わせによって反射鏡２０の隙間ＳＫから照明方向へ向けて出射する。
【００３３】
即ち、本実施形態によれば、反射部２７によって反射された反射光が反射鏡２０の隙間ＳＫ（反射鏡２０の周辺部）から照明方向へ向けて出射されるので、反射鏡２０の周辺部における反射光の光量が補われ、従来よりも反射鏡２０の周辺部が明るくなる。
【００３４】
（第２実施形態）
以下、図４および図５に基づき、本発明の第２実施形態について説明する。本実施形態は、１枚の反射鏡本体４０Ａの表裏面に、反射面および導光面をそれぞれ形成した例である。図４は本実施形態に係るストロボ点灯装置の要部を示す斜視図、図５は図４の５−５線端面図である。なお、図４および図５において、図２および図３と対応する部分には同一符号を付し、その詳細説明は省略する。
【００３５】
図５に示すように、略弧状に形成された反射鏡本体４０Ａの表面（本発明に係る「第１の面部」に対応する面）には、そのキセノン管３０の陰部分となる頂部４１Ａ以外の部位に、キセノン管３０からの照射光を照明方向側へ反射させる反射面４２が設けられている。即ち、反射面４２は、頂部４１Ａを中心に、対称となるように形成されている。
【００３６】
反射面４２は、透明なガラスである反射鏡本体４０Ａの表面に、アルミニウムを蒸着させることによって形成される。即ち、反射面４２の表面は銀白色となっており、そのためキセノン管３０からの照射光は反射面４２を介して反射する。一方、反射鏡本体４０Ａの頂部４１Ａの表面側は反射面４２が形成されていない透明なガラス面となっており、そのため反射鏡本体４０Ａの頂部４１Ａはキセノン管３０からの照射光が透過される透過領域となっている。
【００３７】
反射鏡本体４０Ａの裏部には、透過領域すなわち頂部４１Ａに対応する部位に、頂部４１Ａを透過した入射光ＬＡの入射方向とは異なる方向に入射光ＬＡを反射させる反射部４１Ｂが形成されている。反射部４１Ｂは、照明方向側に向かって凹設されるように、略Ｖ字形状となっている。
【００３８】
また、反射鏡本体４０Ａの裏面（本発明に係る「第２の面部」に対応する面）には、その全面にアルミニウムを蒸着させた銀白色の導光面４３が設けられている。そのため、入射光ＬＡは、反射部４１Ｂにより、入射光ＬＡの入射方向とは異なる方向に反射される。例えば、反射部４１Ｂで反射された反射光は、再び頂部４１Ａを透過し、キセノン管３０を飛越えて照明方向側に出射する。
【００３９】
さらに、反射部４１Ｂで反射された反射光は、図５の１点鎖線に示すように、導光面４３により、反射鏡４０の端部４０Ｂから照明方向へ向けて出射する。即ち、反射面４２および導光面４３は、入射光ＬＡを反射鏡４０の端部４０Ｂへ導光させるものである。なお、図４に示すように、反射鏡本体４０Ａにはアルミニウムを蒸着させた銀白色の側壁４０Ｃが一対形成されており、そして両側壁４０Ｃにキセノン管３０の接続部が位置決めされている。
【００４０】
本実施形態では、１枚の反射鏡本体４０Ａの表裏面に、反射面４２および導光面４３をそれぞれ形成したので、第１実施形態の反射鏡２０に比べ、構成が簡易となり、安価に製造できる。なお、本実施形態では、反射鏡本体４０Ａをアクリル樹脂などのプラスチックで成形すると共に、反射面４２および導光面４３に銀などの鍍金を施すようにしても良い。また、その他の構成および作用効果は、第１実施形態と同様であるので、説明は省略する。
【００４１】
なお、上記各実施形態の反射部２７，４１Ｂは照明方向側に向うような略Ｖ字形状となっているが、本発明に係る反射部は通過領域を通過した入射光の入射方向とは異なる方向に入射光を反射できれば、その形状は任意に変更できる。また、上記各実施形態に係る反射板，反射鏡本体の形状などの構成は、上記各実施形態に限定されるものではなく、任意に変更できる。
【００４２】
上記各実施形態では光源をキセノン管３０とした例であるが、本発明に係る光源は蛍光燈などとしても良い。また、光源の形状は、棒状の他に、球状などであっても良い。さらに、上記各実施形態では発光装置をスチルカメラのストロボ点灯装置とした例であるが、本発明に係る発光装置はいわゆる電気スタンドなどの照明器具等であっても、同様に適用される。
【００４３】
【発明の効果】
以上説明したように、本発明によれば、反射鏡に通過領域および反射部を設けたので、反射鏡における光源が陰となる陰部分に照射される照射光を無駄にすることがなくなり、上記照射光を有効利用し得ると共に、反射効率も向上する。また、本発明によれば、従来のような光ファイバーを使用することなく、上記陰部分に照射される照射光を照明方向へ導光し得るので、反射鏡を安価に製造できる。
【図面の簡単な説明】
【図１】本発明の第１実施形態に係るストロボ点灯装置を備えるスチルカメラの正面図である。
【図２】図１に示すストロボ点灯装置の要部を示す斜視図である。
【図３】図２の３−３線端面図である。
【図４】本発明の第２実施形態に係るストロボ点灯装置の要部を示す斜視図である。
【図５】図４の５−５線端面図である。
【図６】従来例に係る反射傘および蛍光燈の概略的な構成を示す端面図である。
【符号の説明】
１６　　　　　　　　　シャッタスイッチ（発光手段）
１８　　　　　　　　　ストロボ点灯装置（発光装置）
２０，４０　　　　　　反射鏡
２２　　　　　　　　　第１反射板（第１の面部）
２２Ａ，４１Ａ　　　　頂部（通過領域）
２３，４２　　　　　　反射面
２６　　　　　　　　　第２反射板（第２の面部）
２７，４１Ｂ　　　　　反射部
２８，４３　　　　　　導光面
３０　　　　　　　　　キセノン管（光源）
４０Ａ，ＳＫ　　　　　反射鏡の端部
ＬＡ　　　　　　　　　入射光
【図１】
2004125864.tif 000003
【図２】
2004125864.tif 000004
【図３】
2004125864.tif 000005
【図４】
2004125864.tif 000006
【図５】
2004125864.tif 000007
【図６】
2004125864.tif 000008